(57)【特許請求の範囲】
【請求項１】
排版用のハウジングと、該ハウジング内に出し入れ自在に収容されると共に上面が開放された原紙収納容器と、印刷に使用後の孔版原紙を挟持して前記原紙収納容器内に引き込む上下一対の引き込みローラと、を備えている孔版印刷機の排版装置において、
前記ハウジングは、前記原紙収納容器をスライド自在に支持する支持部と、前記原紙収納容器の上方に配置された天井部と、を有しており、
前記原紙収納容器の前記引き込みローラ側の端部には、前記引き込みローラを通過直後の原紙に下方から係合可能な上向きの把持用爪を形成し、
前記天井部には、前記把持用爪が下方から挿入可能な把持用孔又は凹部を形成している、ことを特徴とする孔版印刷機の排版装置。
【請求項２】
請求項１記載の孔版印刷機の排版装置において、
前記原紙収納容器を前記ハウジング内から引き出す動作により、前記把持用爪を上昇させて前記把持用孔又は凹部に挿入させる上昇ガイド機構を設けている孔版印刷機の排版装置。
【請求項３】
請求項２記載の孔版印刷機の排版装置において、
前記上昇ガイド機構は、前記原紙収納容器に形成された下向きのガイド突起と、前記原紙収納容器が前記ハウジング内に収納された状態で前記ガイド突起が嵌合するように前記支持部に設けられたガイド孔又は凹部とから構成され、
前記原紙収納容器を引き出す時に、前記ガイド突起が前記ガイド孔又は凹部から前記支持部上に乗り上げることにより、原紙収納容器を上昇させるようになっている孔版印刷機の排版装置。
【発明の詳細な説明】
【技術分野】
【０００１】
排版用のハウジングと、該ハウジング内に出し入れ自在に収容されると共に上面が開放された原紙収納容器と、印刷に使用後の孔版原紙を挟持して前記原紙収納容器内に引き込む上下一対の引き込みローラと、を備えている孔版印刷機の排版装置に関する。
【背景技術】
【０００２】
孔版印刷機は、一般に、製版装置と、インク供給機構を有する印刷用版胴と、排版装置を備えており、製版装置で製版された孔版原紙を印刷用版胴の外周面に装着し、印刷用版胴を回転させることにより、印刷用紙の孔版原紙の画像を印刷用紙に転写するようになっている。
【０００３】
そして、所定枚数の印刷を終了し、別の画像を印刷する場合には、印刷用版胴の表面の使用済みの孔版原紙を、前記引込みローラの回転により、排版用ハウジングの原紙収納容器内に排出し、次の新しい孔版原紙を印刷用版胴に装着する。
【０００４】
上記原紙収納容器内には、使用済みの孔版原紙が次々に押し込められ、略満杯状態になった時点で、原紙収納容器をハウジング内から引き出し、原紙収納容器内に貯まっている孔版原紙をごみ箱等に破棄し、そして、空の原紙収納容器を再度ハウジング内に装着する。
【０００５】
ところが、原紙収納容器内に貯まる孔版原紙の数量が増えてくると、最後に引き込まれた孔版原紙が引き込みローラから原紙収納容器内に完全に放出されず、孔版原紙の末端部が引き込みローラ間に挟持された状態で残ったり、あるいは、孔版原紙の末端部がインクにより引き込みローラに付着した状態で残ることがある。このような状態で原紙収納容器をハウジング内から引き出すと、前記最後の孔版原紙は原紙収納容器からこぼれ落ち、ハウジング内に残留する。
【０００６】
孔版原紙がハウジング内に残留すると、孔版原紙に付着しているインクにより孔版印刷機内部が汚れるのは勿論のこと、残留している孔版原紙を取り出す作業にも手間がかかる。また、取り出す際に、インクにより手が汚れることになる。
【０００７】
このような孔版原紙のハウジング内の残留を無くすために、従来、図８及び図９に示すように、原紙収納容器１００の満杯時にハウジング１０５の内奥側に位置する孔版原紙Ｎをクランプするクランプ装置を設けた排版装置がある（特許文献１）。このクランプ装置は、上下に揺動駆動されると共に先端折り曲げ部１０１ａを有する上側クランプアーム１０１と、弾性部材により形成された下側固定クランプアーム１０２とを、原紙収納容器１００に取り付けた構造となっている。すなわち、原紙収納容器１００をハウジング１０５内から矢印Ｓ方向に引き出す際に、まず、図９のように、ボタン１０６の操作により上側クランプアーム１０１の先端折り曲げ部１０１ａを下降させ、該上側クランプアーム１０１の先端折り曲げ部１０１ａと下側のクランプアーム１０２との間で内奥端の孔版原紙Ｎの末端部をクランプし、孔版原紙Ｎの末端部をローラ１１０から引き離すようになっている。
【特許文献１】特開２００５−７４８１０号公報。
【発明の開示】
【発明が解決しようとする課題】
【０００８】
ところが図８及び図９のクランプ構造では、クランプ装置用に、上下に対向する二つのクランプアーム１０１，１０２を設けなければならず、部品点数が多くなる。また、両クランクアーム１０１，１０２は、いずれも原紙収納容器１００に取り付けられており、しかも、上側のクランプアーム１０１は、原紙収納容器１００のスライド方向の全長に亘るように配置されているので、原紙収納容器１００内に貯まっていた孔版原紙Ｎをごみ箱等に廃棄する際には、上側のクランプアーム１０１を取り外さなければならず、廃棄作業に手間がかかる。
【０００９】
［発明の目的］
本発明の目的は、部品点数が少なく、簡単な構造の排版装置であって、原紙収納容器内に貯まった孔版原紙を廃棄処理する際に、孔版原紙のハウジング内の残留を確実に阻止できると共に、簡単に原紙収納容器から総ての孔版原紙を破棄することもできる排版装置を提供することである。
【課題を解決するための手段】
【００１０】
上記課題を解決するため、本発明は、排版用のハウジングと、該ハウジング内に出し入れ自在に収容されると共に上面が開放された原紙収納容器と、印刷に使用後の孔版原紙を挟持して前記原紙収納容器内に引き込む上下一対の引き込みローラと、を備えている孔版印刷機の排版装置において、前記ハウジングは、前記原紙収納容器をスライド自在に支持する支持部と、前記原紙収納容器の上方に配置された天井部と、を有しており、前記原紙収納容器の前記引き込みローラ側の端部には、前記引き込みローラを通過直後の原紙に下方から係合可能な上向きの把持用爪を形成し、前記天井部には、前記把持用爪が下方から挿入可能な把持用孔又は凹部を形成している。
【００１１】
上記構成によると、（１）原紙収納容器内に排出された最後の孔版原紙の末端部が引き込みローラに挟持された状態であったり、または、インクにより引き込みローラに付着した状態であっても、原紙収納容器をハウジング内から引き出す際には、把持用爪と把持用孔等とで上記孔版原紙の末端部を挟持し、引き込みローラから引き剥がすことができ、ハウジング内の孔版原紙の残留を確実に阻止することができる。
【００１２】
（２）原紙収納容器には把持用爪を設けているが、該把持用爪と協働して孔版原紙を挟持する要素として、ハウジング側に把持用孔又は凹部を形成しているので、図８のような従来構造と比べ、部品点数を減らし、コストを低減することができる。
【００１３】
（３）把持用爪と協働して孔版原紙を挟持する要素として、ハウジング側に把持用孔又は凹部を形成しているので、ハウジングから原紙収納容器を引き出した際には、原紙収納容器の上面は略完全に解放状態となり、特別な操作を行うことなく、原紙収納容器を上下逆に向けるだけで、簡単に原紙収納容器内の総ての孔版原紙を破棄することができる。
【００１４】
上記孔版印刷機の排版装置において、好ましくは、前記原紙収納容器をハウジング内から引き出す動作により、前記把持爪を上昇させて前記把持用孔等に挿入させる上昇ガイド機構を設けることができる。
【００１５】
上記構成によると、原紙収納容器を引き出すことにより、自動的に、最後の孔版原紙を把持し、引き込みローラから引き剥がすことができる。
【００１６】
上記上昇ガイド機構を備えた孔版印刷機の排版装置において、好ましくは、前記上昇ガイド機構は、前記原紙収納容器に形成された下向きのガイド突起と、前記原紙収納容器がハウジング内に収納された状態で前記ガイド突起が嵌合するように前記支持部に設けられたガイド孔又は凹部とから構成され、前記原紙収納容器を引き出す時に、前記ガイド突起が前記ガイド孔又は凹部から前記支持部上に乗り上げることにより、原紙収納容器を上昇させるように構成する。上記支持部としては、たとえばハウジングの底板が利用され、天井部としては、たとえは天井板を利用される。
【００１７】
上記構成によると、上昇ガイド機構を、簡単な構造で、安価に製作することができる。
【発明を実施するための最良の形態】
【００１８】
（孔版印刷機の全体の概要）
図１〜図７は本発明に係る排版装置を備えた孔版印刷機であり、これらの図面に基づいて、本発明の一実施形態を説明する。図１は孔版印刷機全体の縦断側面図を示しており、説明の都合上、印刷用紙Ｐの搬送方向Ｍの上流側を「前側」、搬送方向Ｍの下流側を「後側）として、以下、説明する。
【００１９】
図１において、印刷機本体１の前下部に給紙装置２が配置され、印刷機本体１の後下部に排紙装置３が配置され、給紙装置２と排紙装置３との前後方向間に印刷ユニット４が配置され、印刷機本体１の前上部に製版装置５が配置され、印刷機本体１の後上部に排版装置７が配置されている。また、印刷機本体１の上側には画像読取装置９が配置されている。
【００２０】
印刷ユニット４は、製版済みの孔版原紙Ｎが外周面に装着される円筒状の印刷用版胴１１と、該印刷用版胴１１に下方から当接離反自在に対向する押圧ローラ１２とを備えており、印刷用版胴１１内には、インクローラ１１ａを有するインク供給機構が内蔵されている。すなわち、回転する印刷用版胴１１と押圧ローラ１２の間で印刷用紙Ｐを挟持し、搬送方向Ｍに搬送しつつ、印刷用版胴１１内から供給されるインクにより、孔版原紙Ｎの画像を印刷用紙Ｐの上面に転写（印刷）する。
【００２１】
給紙装置２は、給紙台２１と、該給紙台２１の後端部に配置された給紙ローラ２２及び捌き部材２３と、給紙ローラ２２の後方に配置された一対のタイミングローラ２４と、を備えている。すなわち、給紙台２１に積載された印刷用紙Ｐを、給紙ローラ２２及び捌き部材２３により最上位から一枚ずつ取り出し、印刷用紙Ｐの所定位置に印刷できるように、タイミングローラ２４は、印刷用版胴１１の回転と同期して適宜タイミングで作動し、印刷ユニット４の印刷部Ａへ印刷用紙Ｐを送り込む。
【００２２】
排紙装置３は、エア吸引式の搬送ベルト機構３１と紙受け台３２とを備えており、印刷ユニット４で印刷された印刷用紙Ｐを、搬送ベルト機構３１によりエア吸引しつつ後方に搬送し、紙受台３２上へ排出する。
【００２３】
製版装置５は、孔版原紙ロール３５と、サーマルヘッド３７と、該サーマルヘッド３７に当接するプラテンローラ３６とを備えており、画像読取装置９で読み取られた画像のデータに基づき、孔版原紙ロール３５をサーマルヘッド３７で製版し、製版後の孔版原紙Ｎを印刷ユニット４の印刷用版胴１１の外周面に装着する。
【００２４】
（排版装置の構成）
排版装置７は、印刷機本体１内に取り付けられた排版用のハウジング４１と、該ハウジング４１の前上端部に取り付けられた上下一対の引き込みローラ４２と、前記ハウジング４１内に、後方からスライド自在に挿入された上面開放状の原紙収納容器４３と、を備えている。
【００２５】
前記版引き込みローラ４２は、印刷用版胴１１の後上端部に対応する位置に位置しており、印刷用版胴１１の外周面に装着されている印刷使用後の孔版原紙Ｎの先端部を挟持し、回転することによりハウジング４１の原紙収納容器４３内に送り込むように構成されている。
【００２６】
図２は排版装置７を前斜め上方から見た斜視図、図３は排版装置７を後斜め下方から見た斜視図、図４は原紙収納容器４３を前斜め上方から見た斜視図、図５は原紙収納容器４３が収納された状態の排版装置７の拡大縦断側面図、図６は原紙収納容器４３を引き出し始めた状態の排版装置の拡大縦断側面図、図７は原紙収納容器を略完全に引き出した状態の排版装置の拡大縦断側面図である。
【００２７】
図２において、ハウジング４１は、左右方向に間隔をおいて配置された一対の側板５０と、両側板５０の下端部間を結合する底板５１と、両側板５０の上端部間を結合する天井板５２と、から略直方体状に構成されており、前面と後面とは開口している。側板５０と、底板５１と、天井板５２は、板金製でそれぞれ別部材となっており、ボルト等により相互に結合されている。底板５１は、原紙収納容器４３をスライド自在に支持するための支持部として利用され、また、天井板５２は、後述する把持用長孔６７を形成する天井部として利用される。
【００２８】
一対の引き込みローラ４２のローラ軸部４２ａの左右端部は、左右の側板５０に回転自在に支持され、上側のローラ軸部４２ａは、タイミングベルト式伝動機構５３により駆動モータ５５の出力軸に連動連結されている。駆動モータ５５は取付台５４を介して一方の側板５０に支持されている。上側の引き込みローラ４２は、前記駆動モータ５５により伝動機構５３を介して矢印Ｒ１方向に回転する。下側の引き込みローラ４２は、左右の側板５０の内側近傍に配置された左右一対の引っ張りばね５６により上側の引き込みローラ４２に圧接しており、これにより、上側の引き込みローラ４２の矢印Ｒ１方向への回転に伴い、矢印Ｒ２方向に従動回転するようになっている。すなわち、上下の引き込みローラ４２，４２で使用済みの孔版原紙Ｎを挟持し、それぞれＲ１，Ｒ２方向に回転することにより、孔版原紙Ｎをハウジング４１内に引き込むようになっている。
【００２９】
図４において、原紙収納容器４３は、左右方向に間隔をおいて配置された一対の側壁６０と、両側壁６０の下端部間を結合する底壁６１と、両側壁６０の前端部間を結合する前壁６２と、両側壁６０の後端部間を結合する後壁６３と、から上面開口状の各箱形状に構成されており、側壁６０と、底壁６１と、前壁６２と、後壁６３は、樹脂部材により一体成形されている。前壁６２は、前記引き込みローラ配置用のスペースを確保するために、後壁６３よりも低く形成されている。原紙収納容器４３の上方は、図５のように収納状態において、ハウジング４１の天井板５２により覆われている。また、原紙収納容器４３の後壁６３には、図３に示すように、後方に突出する取手６８が一体に形成されている。
【００３０】
（孔版原紙の残留阻止のための把持機構）
図２において、ハウジング４１の天井板５２に、孔版原紙Ｎの残留を阻止する把持機構の一要素として、三つの把持用長孔６７が形成されている。これら三つの長孔６７は、ハウジング４１の左右幅の略中央位置と、該中央位置から左右に略均等に間隔をおいた左右位置の三箇所に配置されており、各長孔６７は、天井板５２の前端から天井板５２の後端部近傍まで細長く延びており、各長孔６７の後端部には、それぞれ前上方に突出する切り起こし片６７ａが折り曲げ成形されている。
【００３１】
上記長孔６７と協働して孔版原紙Ｎの残留を阻止する別の要素として、図４に示すように、原紙収納容器４３の前壁６２の上端部に、前上方突出する三つの把持用爪６４が前壁６２と一体に形成されており、各把持用爪６４は、左右幅の略中央位置と、該中央位置から左右に略均等に間隔をおいた左右位置に配置されている。
【００３２】
図５において、原紙収納容器４３の各把持用爪６４は、該把持用爪６４の先端が両引き込みローラ４２のニップ部４２ｂのやや下側に向かうように延びており、これにより、引き込みローラ４２のニップ部４２ｂから後方に送られる孔版原紙Ｎは、各把持用爪６４の上方を通り、原紙収納容器４３内に排出されるようになっている。
【００３３】
各把持用爪６４は、ハウジング４１の天井板５２の各把持用長孔６７の左右方向の位置に対応するようにそれぞれ配置されており、各把持用爪６４の左右幅は各把持用長孔６７の左右幅よりも狭く、これにより、図６のように、各把持用爪６４は対応する把持用長孔６７にそれぞれ下方から挿入され、上方に突出するようになっている。また、各引き込みローラ４２には、各把持用記爪６４が通過しうるように、各把持用爪６４に対応する位置にそれぞれ環状溝７２が形成されている。
【００３４】
（原紙収納容器４３の上昇ガイド機構）
図５において、原紙収納容器４３の引き出し動作時にこの原紙収納容器４３の前端部（すなわち把持用爪６４）を上昇させる上昇ガイド機構として、原紙収納容器４３の底壁６１の前端部の下面には下向きのガイド突起６５が形成され、一方、ハウジング４１の底板５１の前端部には、収納状態における原紙収納容器４３のガイド突起６５が嵌合するガイド孔７０が形成されている。前記ガイド突起６５は後傾状（後倒れ状）の後端縁６５ａを有しており、ガイド孔７０の後端縁には、前記ガイド突起６５の後傾状の後端縁６５ａに対応するように傾斜したガイド片７０ａが折り曲げ形成されている。さらに、ハウジング４１の底板５１の後端部には、水平に対して後下がりに傾斜する傾斜部７１が形成されており、図６のように原紙収納容器４３の前端部が上昇した時に、原紙収納容器４３の後端部の下面が下方に傾きうるようになっている。
【００３５】
図３において、前記ガイド孔７０は、ハウジング４１の底板５１の左右両端部近傍に一対形成されており、原紙収納容器４３のガイド突起６５もガイド孔７０と対応する位置に一対形成されている。
【００３６】
（作用）          
孔版印刷機による印刷方法は、各装置説明部分で既に説明しており、また、周知の内容であるので、ここでは省略し、孔版原紙Ｎの製版、排版及び廃棄の手順について説明する。
【００３７】
図１において、製版装置５では、画像読取装置９で読み取った原画像のデータに基づき、あるいは他の装置で読み取ったデータに基づき、孔版原紙ロール３５をサーマルヘッド３６で加熱穿孔することにより、孔版原紙Ｎを製版し、印刷ユニット１１の外周面に孔版原紙Ｎを装着する。
【００３８】
印刷用版胴１１に装着された上記孔版原紙Ｎの画像を所定枚数の印刷用紙Ｐに印刷した後、次の画像を印刷するために新たな孔版原紙Ｎと交換する。交換する際には、まず、印刷用版胴１１を所定の排版回転角度で停止させ、使用済みの孔版原紙Ｎの始端部を印刷用版胴１１から剥がし、適宜のガイド装置により排版装置７の引き込みローラ４２まで導き、そして、印刷用版胴１１と引き込みローラ４２とを同時に回転させ、使用済みの孔版原紙Ｎを排版用ハウジング４１の原紙収納容器４３内に取り込んでゆく。
【００３９】
上記排版作業後は、製版装置５で製版された新たな孔版原紙Ｎを印刷用版胴１１に装着し、次の画像を印刷し、所定枚数の印刷用紙Ｐの印刷が終了した後、前記同様に、引き込みローラ４２により、使用済みの孔版原紙Ｎを原紙収納容器４３内に取り込んでゆく。
【００４０】
原紙収納容器４３内に使用済みの孔版原紙Ｎが次々と貯められ、原紙収納容器４３が略満杯になると、取手６８を持って原紙収納容器４３をハウジング４１内から後方に引き出し、原紙収納容器４３内の使用済み孔版原紙Ｎを、ごみ箱等に廃棄する。
【００４１】
図５乃至図７は、前述のように原紙収納容器４３をハウジング４１から引き出す際の状態の変化を順に示しており、図５に示すように、引き出し前の状態では、ガイド突起６５はガイド孔７０に嵌合し、原紙収納容器４３の底壁６１はハウジング４１の底板５１と略平行な状態（略水平状態）となっており、また、把持用爪６４の先端は、略引き込みローラ４２のニップ部４２ｂに向いている。この状態から原紙収納容器４３を後方に引き始めると、原紙収納容器４３の底壁６１はハウジング４１の底板５１上を後方にスライドし始めるが、ガイド突起６５の後端縁６５ａがガイド片７０ａに当接して上方に押し上げられ、これにより原紙収納容器４３の前端部及び把持用爪６４は上昇し始める。この時、ガイド突起６５の後端縁６５ａとガイド片７０ａとは、いずれも後傾姿勢に形成されているので、ガイド突起６５及び原紙収納容器４３の前端部は滑らかに上昇する。
【００４２】
原紙収納容器４３の前端部の上昇時、把持用爪６４は、引き込みローラ４２の環状溝７２を通って上昇し、天井板５２の把持用長孔６７内へと入り込んでゆく。この時、引き込みローラ４２の直後に位置する最後の孔版原紙Ｎの末端部を引っ掛け、図６に示すように、把持用爪６４と把持用長孔６７との間で把持する。
【００４３】
これにより、図５のように引き出し前の状態が仮に最後の孔版原紙Ｎの末端部が引き込みローラ４２のニップ部４２ｂに挟持された状態であっても、図６のように、孔版原紙Ｎの末端部が後方へ引っ張られ、引き込みローラ４２から後方に剥がされる。
【００４４】
そして図７のように原紙収納容器４３がハウジング４１から略完全に引き出された状態において、ハウジング４１内に孔版原紙Ｎが残留することはない。
【００４５】
引き出し後は、たとえば、原紙収納容器４３を下向きにすることにより、何の障害もなく、原紙収納容器４３から総ての孔版原紙Ｎを破棄することができる。
【００４６】
[発明のその他の実施の形態]
（１）本発明において、前記実施形態では把持用爪と把持用長孔を備えているが、把持用長孔の代わりに、凹部又は切欠きを設けることも可能である。把持用凹部を形成する場合には、たとえば上方に凹む凹部を形成する。
【００４７】
（２）前記実施の形態では把持用爪及び把持用孔等をそれぞれ三個ずつ設けているが、それぞれ一個ずつ又は二個ずつ設けることも可能である。しかし、孔版原紙を、より確実に把持するためには、三個以上設けることが好ましい。
【００４８】
（３）前記実施の形態において、原紙収納容器をスライド自在に支持する支持部として、ハウジングの底板を利用しているが、たとえば、ハウジングの左右の側板に、支持部として支持レールを設け、該支持レールに原紙収納容器をスライド自在に支持することも可能である。この場合には、たとえば上記支持レールに上昇ガイド機構のガイド孔を形成する。
【００４９】
（４）前記実施の形態では、ハウジングの天井板を板金製としていたが、樹脂製とすることもできる。
【００５０】
（５）前記実施の形態では、把持用孔は、天井板の前端から後端部近傍まで細長く延びた形状としていたが、本発明の把持用孔は、上記細長い形状に限定されるものではなく、天井板（天井部）の前端から後端部近傍まで延び、かつ、左右に分かれていれば良いのであって、左右に幅広い形状の把持用孔も本発明に含まれる。
【図面の簡単な説明】
【００５１】
【図１】本発明にかかる排版装置を備えた孔版印刷機の縦断側面略図である。
【図２】図１の排版装置を前斜め上方から見た斜視図である。
【図３】図１の排版装置を後斜め下方から見た斜視図である。
【図４】図１の排版装置の原紙収納容器を前斜め上方から見た斜視図である。
【図５】図１の排版装置の拡大縦断側面図である。
【図６】原紙収納容器の引き出し途中の状態を示す図５と同様の排版装置の拡大縦断側面図である。
【図７】原紙収納容器を略完全に引き出した状態を示す図５と同様の排版装置の拡大縦断側面図である。
【図８】従来の排版装置の縦断側面図である。
【図９】引き出し時の状態を示す図８の排版装置の縦断側面図である。
【符号の説明】
【００５２】
１  印刷機本体
４  印刷ユニット
５  製版装置
７  排版装置
４１  排版用のハウジング
４３  原紙収納容器
５１  ハウジングの底板（支持部の一例）
５２  ハウジングの天井板（天井部の一例）
６４  把持用爪
６５  上昇ガイド機構のガイド突起
６７  把持用長孔
７０  上昇ガイド機構のガイド孔
Ｎ  孔版原紙
【図１】
0005108599.tif 000002
【図２】
0005108599.tif 000003
【図３】
0005108599.tif 000004
【図４】
0005108599.tif 000005
【図５】
0005108599.tif 000006
【図６】
0005108599.tif 000007
【図７】
0005108599.tif 000008
【図８】
0005108599.tif 000009
【図９】
0005108599.tif 000010